(57)【特許請求の範囲】
【請求項１】
筐体からのマガジンの引き出しを規制する機構を備えたマガジン保持構造であって、
前記マガジンはその底面に、挿抜方向と略平行に設置され、側面に複数の段差部を備えたレール部材を有し、
前記筐体は、
前記マガジンの底面と同一面内で回転可能に設置され、一部が前記マガジンの下の空間に位置し、他の一部が前記マガジンの横に位置するロック部材と、
前記ロック部材の前記マガジンの底面に位置する部分が前記段差部と係合するように、前記レール部材が設置された方向へ前記ロック部材を付勢する付勢部材と、
前記マガジンの横を該マガジンの挿抜方向に沿って移動可能な移動機構とを有し、
各々の段差部においては、前記マガジンの抜き取り方向へ移動した移動機構が、前記付勢部材による付勢方向とは反対方向に前記ロック部材を回転させることにより、前記ロック部材との係合が解除されることを特徴とするマガジン保持構造。
【請求項２】
前記段差部の一つは、前記マガジンを前記筐体に完全に収容した状態において、前記ロック部材と係合することを特徴とする請求項１記載のマガジン保持構造。
【請求項３】
前記マガジンは、記録媒体を内蔵したカートリッジを収容するセルが複数形成されており、
前記段差部は、各々の前記セルに対応して形成されており、
前記ロック部材が任意の前記段差部と係合した際に、前記マガジンは係合した段差部に対応するセルが前記筐体の外へ露出する位置まで引き出し可能となることを特徴とする請求項１又は２記載のマガジン保持構造。
【請求項４】
請求項３記載のマガジン保持構造を備えたライブラリ装置であって、
前記カートリッジに対する情報の記録と該カートリッジに記録されている情報の読み出しとを行うドライブ装置を有し、
前記移動機構は、前記マガジンからのカートリッジの取り出し、収容及び搬送を行うアクセッサであることを特徴とするライブラリ装置。
【請求項５】
前記移動機構を、前記ロック部材と各々の前記段差部との係合とが解除される各位置で停止させるように制御する手段を有することを特徴とする請求項４記載のライブラリ装置。
【請求項６】
前記マガジン保持構造を複数備えたことを特徴とする請求項４又は５記載のライブラリ装置。
【発明の詳細な説明】
【技術分野】
【０００１】
本発明は、マガジンの引き出し量を多段階に規制できるマガジン保持構造及びこれを備えたライブラリ装置に関する。
【背景技術】
【０００２】
コンピュータで利用するプログラムやデータを高い信頼性で保存するために、テープライブラリ装置やディスクライブラリ装置が用いられている。
【０００３】
一般に、ライブラリ装置は、複数のカートリッジ（記憶媒体、テープライブラリ装置の場合は磁気テープとリールとを一体化したもの）を収容するマガジンと呼ばれる部材と、アクセッサと呼ばれる搬送装置とを備えている。
【０００４】
マガジンは、内部が複数のセルに分割されており、各々のセルにはカートリッジを一つずつ収容できるようになっている。
【０００５】
アクセッサは、任意のマガジンの任意のセルに収容されているカートリッジを取り出してドライブ装置へセットする動作と、ドライブ装置から取り出したカートリッジを、任意のマガジンの任意のセルに収容する動作とを行う。
【０００６】
このようなテープライブラリ装置においては、マガジン内の一部のセルのみカートリッジを交換したり、装填したりする場合には、そのセルの部分までマガジンを引き出すことにより、カートリッジをセルから取り出したり、新たなカートリッジをセルに装填したりできる。その一方で、マガジン全体を装置から引き出せるようにもなっており、マガジン自体を装置外へ取り出したり、別のマガジンを装置に装填したりできる。
この際
【０００７】
ライブラリ装置からのマガジンの引き出しに関しては、特許文献１に開示されている。
特許文献１に開示される発明は、トレイ（マガジン）を全開放するモードと、途中まで開放するメールスロットモードとを設定することにより、トレイを段階的に開放する（引き出す）ものである。
【特許文献１】特開平１０−２５５３７２号公報
【発明の開示】
【発明が解決しようとする課題】
【０００８】
しかし、特許文献１に開示される発明のように、マガジンを装置外へ送り出すために専用のアクチュエータを用いると、構成部品が増えるだけでなく、専用の制御回路が必要であり、製造コストが高くなってしまう。
【０００９】
また、装置内に可動部分が増加するため、動作不良の原因となる場合もあり、装置の信頼性、耐久性が低くなる要因となっていた。
【００１０】
本発明は係る問題に鑑みてなされたものであり、構成部品が少なく簡素な機構でマガジンの引き出し量を段階的に変化させることができるマガジン保持構造及びこれを備えたライブラリ装置を提供することを目的とする。
【課題を解決するための手段】
【００１１】
上記目的を達成するため、本発明は、第１の態様として、筐体からのマガジンの引き出しを規制する機構を備えたマガジン保持構造であって、マガジンはその底面に、挿抜方向と略平行に設置され、側面に複数の段差部を備えたレール部材を有し、筐体は、マガジンの底面と同一面内で回転可能に設置され、一部がマガジンの下の空間に位置し、他の一部がマガジンの横に位置するロック部材と、ロック部材のマガジンの底面に位置する部分が段差部と係合するように、レール部材が設置された方向へロック部材を付勢する付勢部材と、マガジンの横を該マガジンの挿抜方向に沿って移動可能な移動機構とを有し、各々の段差部においては、マガジンの抜き取り方向へ移動した移動機構が、付勢部材による付勢方向とは反対方向にロック部材を回転させることにより、ロック部材との係合が解除されることを特徴とするマガジン保持構造を提供するものである。
【００１２】
また、上記目的を達成するため、本発明は、第２の態様として、上記本発明の第１の態様に係るマガジン保持構造を備えたライブラリ装置であって、カートリッジに対する情報の記録と該カートリッジに記録されている情報の読み出しとを行うドライブ装置を有し、移動機構は、マガジンからのカートリッジの取り出し、収容及び搬送を行うアクセッサであることを特徴とするライブラリ装置を提供するものである。
【発明の効果】
【００１３】
本発明によれば、構成部品が少なく簡素な機構でマガジンの引き出し量を段階的に変化させることができるマガジン保持構造及びこれを備えたライブラリ装置を提供できる。
【発明を実施するための最良の形態】
【００１４】
本発明の好適な実施の形態に係るテープライブラリ装置について説明する。
図１に、本実施形態に係るライブラリ装置の構成を示す。
ライブラリ装置１は、装置本体２にマガジン３を挿着可能な構造である。マガジン３が配置される箇所の側方にはアクセッサ４が配置されており、マガジン３の挿抜方向に沿って往復移動可能となっている。
【００１５】
アクセッサ４は、通常の動作（マガジン３からのカートリッジの取り出しや収容、ドライブ装置５へのカードリッジのセット及び取り外し）の際の移動範囲の延長上に、マガジン取り出し規制解除動作時の移動範囲が設定されている。マガジン取り出し規制解除動作については後段において詳細に説明する。アクセッサ４は、コントローラ６から入力される制御信号に応じてカートリッジの取り出しや収納、移動（カートリッジの搬送）を行う。
【００１６】
図２にマガジン３の構成を示す。マガジン３は複数のセル３１（３１ａ〜３１ｄ）に区切られており、各セルにはカートリッジを収容可能である。マガジン３の底面３２には、挿抜方向と略平行にレール３２１が設置されている。レール３２１のアクセッサ４に近い側の側面には、段差３２２が複数個（３２２ａ〜３２２ｃ）形成されている。引き出し方向の端部には、装置本体２への抜き差し操作をユーザが行いやすいように取っ手３３が形成されている。
【００１７】
図３に、装置本体２の構成を示す。マガジン３を収容するマガジン収容部２１には、ロックレバー２１１及びレール２１２が設置されている。ロックレバー２１１は固定シャフト２２を介して筐体２００に設置されており、筐体面と略平行面内で回転可能である。ロックレバー２１１は、マガジン３が収容された状態においては、その一部分が筐体２００とマガジン３の底面３２との間に位置するように設置されている。以下、マガジン収容時にマガジン３の底面３２と筐体２００との隙間に配置されるロックレバー２１１の一部分を「係合部」と称する。
また、ロックレバー２１１の一部は、アクセッサ４の軌道上に位置するように配置されており、アクセッサ４が当接することによってトルクが発生し、固定シャフト２２を枢軸として回転する。さらに、ロックレバー２１１にはスプリング２３が取り付けられており、係合部は、レール３２１側に付勢されている。
【００１８】
なお、段差３２２の一つを、マガジン３を装置本体２に完全に収容した状態において、ロックレバー２１１と係合するように配置することにより、マガジン取り出し規制解除動作を行わない限りマガジン３を装置本体２から引き出せないようにすることができる。また、段差３２２を各々のセル３１に対応して形成することにより、ロックレバー２１１が任意の段差３２２と係合した際に、係合した段差３２２に対応するセル３１が装置本体２の外へ露出する位置までマガジン３を引き出すことが可能な構造とすることができる。
【００１９】
本実施形態に係るライブラリ装置１において装置本体２からマガジン３を引き出す際の動作（マガジン取り出し規制解除動作）について説明する。なお、ここでは説明の簡略化のため、図２とは異なりレール３２１の段数が３段（段差３２２が３２２ａ、３２２ｂの二つ）の構成を例として説明するが、動作の本質はレールの段数にかかわらず同様である。また、以下の説明においては、レール３２１の各段を、マガジン３の引き出し方向（取っ手３３側）から順に１段目、２段目、３段目と表記する。
【００２０】
図４に、筐体内に収容されたマガジン３の状態を示す。ここでは、筐体２００を透過してマガジン３の底面３２を見た状態を示している。
マガジン３が完全に装置本体２に収容されている状態では、係合部はスプリング２３の弾性力によってレール３２１の２段目よりもアクセッサ４の反対側へ突出している。以下、単に「突出」という場合は、アクセッサ４の反対側へ突き出ている状態を意味する。
【００２１】
マガジン３を装置本体２から引き出していき、図５に示すように、係合部が段差３２２ａに到達すると、それ以上のマガジン３の引き出しが規制される。
【００２２】
アクセッサ４を前進させると、アクセッサ４はスプリング２３の弾性力に打ち勝ってロックレバー２１１を回転させる。これにより、図６に示すように、係合部はレール３２１の２段目よりも突出しておらず、かつレール３２１の３段目よりは突出している状態となるため、レール３２１の２段目の部分までマガジン３を引き出すことが可能となる。
【００２３】
マガジン３をさらに装置本体２から引き出していき、図７に示すように、係合部が段差３２２ｂに到達すると、それ以上のマガジン３の引き出しが再び規制される。
【００２４】
アクセッサ４をさらに前進させ、スプリング２３の弾性力に打ち勝ってロックレバー２１１をさらに回転させると、図８に示すように、係合部はレール３２１の３段目よりも突出していない状態となる。
【００２５】
この状態においては、図９に示すように、マガジン３を完全に引き出すことが可能となる。
【００２６】
このように、本実施形態に係るライブラリ装置１は、アクセッサ４の動作（位置）に応じて、マガジン３の引き出し量を多段階に規制することが可能である。マガジン３の引き出しのための専用のアクチュエータやその制御回路などが不要であるため、部品点数の増加を招くことがなく、低コストで製造可能である。さらに、装置内の可動部分が増加しないため、故障の要因が増えることはなく、信頼性が高い。
【００２７】
上記の説明においては、マガジン３をレール３２１の２段目まで引き出し可能な状態を経てから完全に引き出し可能な状態へ移行させたが、初期状態からマガジン３を完全に引き出し可能な状態に直接移行させることも可能である。
【００２８】
なお、上記実施形態は本発明の好適な実施の一例であり、本発明はこれに限定されることはない。
例えば、本発明は図１０に示すような、マガジンを複数段重ねて収容するライブラリ装置にも適用可能である。この場合には、各段のマガジンについて、底面に段差を有するレールを設けるとともに、筐体側には各段のマガジンに対応するロックレバーを設置し、各々のロックレバーを回転可能に支持しスプリングで上記同様に付勢すればよい。このような構成とすることにより、各段のマガジンの引き出しを個別に多段階に規制することが可能となる。
このように、本発明は様々な変形が可能である。
【図面の簡単な説明】
【００２９】
【図１】本発明の好適な実施の形態に係るライブラリ装置の構成を示す図である。
【図２】マガジンの構成を示す図である。
【図３】装置本体のマガジン収容部近傍の構成を示す図である。
【図４】マガジン取り出し規制解除動作を示す図である。
【図５】マガジン取り出し規制解除動作を示す図である。
【図６】マガジン取り出し規制解除動作を示す図である。
【図７】マガジン取り出し規制解除動作を示す図である。
【図８】マガジン取り出し規制解除動作を示す図である。
【図９】マガジン取り出し規制解除動作を示す図である。
【図１０】マガジンを複数段重ねて収容可能なライブラリ装置の構成を示す図である。
【符号の説明】
【００３０】
１    ライブラリ装置
２    装置本体
３    マガジン
４    アクセッサ
５    ドライブ装置
２１    マガジン収容部
２２    固定シャフト
２３    スプリング
３１（３１ａ、３１ｂ、３１ｃ、３１ｄ）    セル
３２    底面
３３    取っ手
２１１    ロックレバー
３２１    レール
３２２（３２２ａ、３２２ｂ、３２２ｃ）    段差
２００    筐体
【図１】
0005084578.tif 000002
【図２】
0005084578.tif 000003
【図３】
0005084578.tif 000004
【図４】
0005084578.tif 000005
【図５】
0005084578.tif 000006
【図６】
0005084578.tif 000007
【図７】
0005084578.tif 000008
【図８】
0005084578.tif 000009
【図９】
0005084578.tif 000010
【図１０】
0005084578.tif 000011